(57)【要約】【課題】  太陽電池モジュールの設置角度を調整できるようにし、また、複数並列して設置した太陽電池モジュールのうち任意のものを取外しできるようにする。【解決手段】  太陽電池モジュール設置用ベースレール１０を複数列互いに平行に設置面に設置し、隣り合う２つの太陽電池モジュール設置用ベースレールの互いに近い側の固定台に、太陽電池モジュール設置用の前端支持部材２０及び後端支持部材３０の各取付け板を取付けて太陽電池モジュール４０の両端部を取付けるようにした。  また、太陽電池モジュール設置用ベースレール１０の幅方向の中央に底板１１を設け、この底板に沿って人が歩くことができるようにした。【選択図】        図１
2007035928.tif 000002
【特許請求の範囲】
【請求項１】
太陽電池モジュールを設置するための太陽電池モジュール設置用ベースレールであって、底板と、該底板の幅方向の両側に設けられ、中空部を有する、太陽電池モジュールの端部を固定するためのほぼ同一高さの第１、第２の固定台とを備えたことを特徴とする太陽電池モジュール設置用ベースレール。
【請求項２】
太陽電池モジュールの前端を太陽電池モジュール設置用ベースレールに取付けるための前端支持部材であって、太陽電池モジュール設置用ベースレールの固定台に取付けるための取付け板と、該取付け板の幅方向の一端から横方向に延設され、太陽電池モジュールの前端を傾斜状態で取付けるための傾斜取付け板とを備えたことを特徴とする前端支持部材。
【請求項３】
太陽電池モジュールの後端を太陽電池モジュール設置用ベースレールに取付けるための後端支持部材であって、太陽電池モジュール設置用ベースレールの固定台に取付けるための取付け板と、該取付け板の幅方向の一端から上方向に延設された上縦板と、該上縦板の上端から横方向に延設され、太陽電池モジュールの後端を傾斜状態で取付けるための傾斜取付け板とを備えたことを特徴とする後端支持部材。
【請求項４】
底板と、該底板の幅方向の両側に設けられ、中空部を有する、太陽電池モジュールの端部を固定するためのほぼ同一高さの第１、第２の固定台とを備えた太陽電池モジュール設置用ベースレールを複数列互いに平行に設置面に設置し、隣り合う２つの太陽電池モジュール設置用ベースレールの互いに近い側の固定台に、太陽電池モジュール設置用ベースレールの固定台に取付けるための取付け板と、該取付け板の幅方向の一端から横方向に延設され、太陽電池モジュールの前端を傾斜状態で取付けるための傾斜取付け板とを備えた前端支持部材及び太陽電池モジュール設置用ベースレールの固定台に取付けるための取付け板と、該取付け板の幅方向の一端から上方向に延設された垂直板と、該垂直板の上端から横方向に延設され、太陽電池モジュールの後端を傾斜状態で取付けるための傾斜取付け板とを備えた後端支持部材の各取付け板を取付け、２つの太陽電池モジュール設置用支持部材の各傾斜取付け板に太陽電池モジュールの前端及び後端を取付けるようにしたことを特徴とする太陽電池モジュール設置装置。
【請求項５】
太陽電池モジュールの側端を太陽電池モジュール設置用ベースレールに取付けるための側端支持部材であって、太陽電池モジュール設置用ベースレールの固定台に取付けるための取付け板と、該取付け板の幅方向の一端から下方向に延設された垂直板と、該垂直板の下端から横方向に延設され、太陽電池モジュールの側端を水平状態で取付けるための支持板とを備えたことを特徴とする側端支持部材。
【請求項６】
底板と、該底板の幅方向の両側に設けられ、中空部を有する、太陽電池モジュールの端部を固定するためのほぼ同一高さの第１、第２の固定台とを備えた太陽電池モジュール設置用ベースレールを複数列互いに平行に、傾斜設置面に傾斜方向に沿って設置し、隣り合う２つの太陽電池モジュール設置用ベースレールの互いに近い側の固定台に、太陽電池モジュール設置用ベースレールの固定台に取付けるための取付け板と、該取付け板の幅方向の一端から下方向に延設された垂直板と、該垂直板の下端から横方向に延設され、太陽電池モジュールの側端を水平状態で取付けるための支持板とを備えた２つの側端支持部材の各取付け板を取付け、２つの太陽電池モジュール設置用支持部材の各支持板に太陽電池モジュールの各側端を取付けるようにしたことを特徴とする太陽電池モジュール設置装置。
【発明の詳細な説明】
【技術分野】
【０００１】
本発明は、太陽電池モジュールを設置するためのベースレール、前端支持部材、後端支持部材、側端支持部材及び太陽電池モジュール設置装置に関する。
【背景技術】
【０００２】
建物の屋上や屋根の上に太陽電池モジュールを設置するため太陽電池モジュール固定装置として、従来特開２００１−２９１８８９が提案されている。
この太陽電池モジュール固定装置は幅方向の一端側のモジュール固定部と他端側のモジュール固定部の高さが異なったレール架台を用いている。そして、２つの平行に設置したレール架台間に太陽電池モジュールの前端部および後端部を乗せて固定する。このようにして２つの平行なレール架台の長手方向に沿って複数の太陽電池モジュールを横並びに設置する。
太陽電池モジュールを固定後に、高さの異なる２つのモジュール固定部間に架台カバーを取付けて塞いでいる。
【０００３】
【特許文献１】特開２００１−２９１８８９
【発明の開示】
【発明が解決しようとする課題】
【０００４】
しかしながら、このような従来の太陽電池モジュール固定装置では、太陽電池モジュールの取付け傾斜角度が幅方向の両端のモジュール固定部の高さの差で決まるため、太陽電池モジュールの取付け傾斜角度が常に一定で、傾斜角度の変更や調整ができなかった。
【０００５】
また、レール架台の幅方向の両端の高さが異なり、傾斜した架台カバーで塞いでいるため、このレール架台上を人が歩くことができない。このため、レール架台の長手方向に沿った横並びの両端以外の場所の太陽電池モジュールが破損などで交換が必要になった場合、横並びの太陽電池モジュールを手前から全部取り外さないと交換ができなった。
【０００６】
本発明はこのような問題を解決した太陽電池モジュール設置用ベースレール、太陽電池モジュール設置用支持部材、太陽電池モジュール設置装置を提供することを目的としている。
【課題を解決するための手段】
【０００７】
前記目的を達成するために、本発明の請求項１は、太陽電池モジュールを設置するための太陽電池モジュール設置用ベースレールであって、底板と、該底板の幅方向の両側に設けられ、中空部を有する、太陽電池モジュールの端部を固定するためのほぼ同一高さの第１、第２の固定台とを備えたことを特徴としている。
【０００８】
また、本発明の請求項２は、太陽電池モジュールの前端を太陽電池モジュール設置用ベースレールに取付けるための前端支持部材であって、太陽電池モジュール設置用ベースレールの固定台に取付けるための取付け板と、該取付け板の幅方向の一端から横方向に延設され、太陽電池モジュールの前端を傾斜状態で取付けるための傾斜取付け板とを備えたことを特徴としている。
【０００９】
また、本発明の請求項３は、太陽電池モジュールの後端を太陽電池モジュール設置用ベースレールに取付けるための後端支持部材であって、太陽電池モジュール設置用ベースレールの固定台に取付けるための取付け板と、該取付け板の幅方向の一端から上方向に延設された上縦板と、該上縦板の上端から横方向に延設され、太陽電池モジュールの後端を傾斜状態で取付けるための傾斜取付け板とを備えたことを特徴としている。
【００１０】
また、本発明の請求項４は、底板と、該底板の幅方向の両側に設けられ、中空部を有する、太陽電池モジュールの端部を固定するためのほぼ同一高さの第１、第２の固定台とを備えた太陽電池モジュール設置用ベースレールを複数列互いに平行に設置面に設置し、隣り合う２つの太陽電池モジュール設置用ベースレールの互いに近い側の固定台に、太陽電池モジュール設置用ベースレールの固定台に取付けるための取付け板と、該取付け板の幅方向の一端から横方向に延設され、太陽電池モジュールの前端を傾斜状態で取付けるための傾斜取付け板とを備えた前端支持部材及び太陽電池モジュール設置用ベースレールの固定台に取付けるための取付け板と、該取付け板の幅方向の一端から上方向に延設された垂直板と、該垂直板の上端から横方向に延設され、太陽電池モジュールの後端を傾斜状態で取付けるための傾斜取付け板とを備えた後端支持部材の各取付け板を取付け、２つの太陽電池モジュール設置用支持部材の各傾斜取付け板に太陽電池モジュールの前端及び後端を取付けるようにしたことを特徴としている。
【００１１】
また、本発明の請求項５は、太陽電池モジュールの側端を太陽電池モジュール設置用ベースレールに取付けるための側端支持部材であって、太陽電池モジュール設置用ベースレールの固定台に取付けるための取付け板と、該取付け板の幅方向の一端から下方向に延設された垂直板と、該垂直板の下端から横方向に延設され、太陽電池モジュールの側端を水平状態で取付けるための支持板とを備えたことを特徴としている。
【００１２】
また、本発明の請求項６は、底板と、該底板の幅方向の両側に設けられ、中空部を有する、太陽電池モジュールの端部を固定するためのほぼ同一高さの第１、第２の固定台とを備えた太陽電池モジュール設置用ベースレールを複数列互いに平行に、傾斜設置面に傾斜方向に沿って設置し、隣り合う２つの太陽電池モジュール設置用ベースレールの互いに近い側の固定台に、太陽電池モジュール設置用ベースレールの固定台に取付けるための取付け板と、該取付け板の幅方向の一端から下方向に延設された垂直板と、該垂直板の下端から横方向に延設され、太陽電池モジュールの側端を水平状態で取付けるための支持板とを備えた２つの側端支持部材の各取付け板を取付け、２つの太陽電池モジュール設置用支持部材の各支持板に太陽電池モジュールの各側端を取付けるようにしたことを特徴としている。
【発明の効果】
【００１３】
本発明はこのように太陽電池モジュール設置用ベースレールを複数列互いに平行に設置面に設置し、隣り合う２つの太陽電池モジュール設置用ベースレールの互いに近い側の固定台に、太陽電池モジュール設置用の前端支持部材及び後端支持部材の各取付け板を取付け、２つの太陽電池モジュール設置用支持部材の各傾斜取付け板に太陽電池モジュールの両端部を取付けるようにしたから、前端支持部材及び後端支持部材の各傾斜取付け板の傾斜角を選び、且つ後端支持部材の垂直板の高さを選ぶことによって、太陽電池モジュールの設置面に対する傾斜角度を調整することができる。
【００１４】
また、本発明の太陽電池モジュール設置用ベースレールは幅方向の中央に底板を備えているので、この底板に沿って人が歩くことができ、このため、太陽電池モジュール設置用ベースレールの長手方向に沿った横並びの両端以外の場所の太陽電池モジュールが破損などで交換が必要になった場合、横並びの太陽電池モジュールを手前から全部取り外すことなく、該当する位置の太陽電池モジュールまで底板上を歩いていって、該当する太陽電池モジュールのみを取り外したり交換したりすることができる。
【００１５】
また、本発明では、太陽電池モジュール設置用ベースレールを複数列互いに平行に、傾斜設置面に傾斜方向に沿って設置し、隣り合う２つの太陽電池モジュール設置用ベースレールの互いに近い側の固定台に、傾斜設置面に平行に太陽電池モジュールを設置することもできる。
【発明を実施するための最良の形態】
【００１６】
以下、図面に基づいて本発明の実施の形態を説明する。
図１〜４は本発明の一実施形態の太陽電池モジュール設置用ベースレール１０を示している。
【００１７】
太陽電池モジュール設置用ベースレール１０はレール状であって、幅方向（長手方向に対して直交する方向）の中央に底板部１１を備え、この底板部１１の幅方向の両側には断面「コ」字状の第１、第２の固定台１２、１３が設けられている。
【００１８】
底板部１１には長手方向の複数箇所において、長穴状のボルト挿通穴１１ａが設けられていて、図１に示すように建物の屋上や屋根上（設置面Ａ）に固定したベースブロックＢから上方へ突出したアンカーボルトＣを上方へ挿通させた後、ナット１８を螺着し締め付けることによってベースブロックＢに固定される。
【００１９】
第１、第２の固定台１２、１３は下向きに伏せた「コ」字状を構成する両側板１２ａ、１２ｂ、１３ａ、１３ｂと上板１２ｃ、１３ｃとから成り、上板１２ｃ、１３ｃには、図１、図２、図３に示すように、長手方向の複数箇所において穴１５が設けられ、この穴１５にナット１６が回転不能に且つ上板１２ｃ、１３ｃの下面側へに突出するように取付けられている。
【００２０】
また、図５、図６に示すように、第１、第２の固定台１２、１３の互いに外側の側板１２ｂ、１３ｂには、長手方向の両端を含む複数箇所において第１、第２の固定台１２、１３の内部に収容した太陽電池モジュール４０のケーブル４１を固定する可撓性バンド１７を挿通する横並びの２つの穴１８が設けられている。
【００２１】
このような構造の太陽電池モジュール設置用ベースレール１０が図８〜１０に示すように複数列、互いに平行に建物の屋上や屋根上（設置面Ａ）に固定されたベースブロックＢ上に設置される。
【００２２】
２列の太陽電池モジュール設置用ベースレール１０、１０の互いに近い側の固定台（即ち図８において左側の太陽電池モジュール設置用ベースレール１０の第２の固定台１３と右側の太陽電池モジュール設置用ベースレール１０の第１の固定台１２）によって太陽電池モジュール４０が取付けられる。
【００２３】
太陽電池モジュール４０を傾斜して取付けるには、図１、図７に示すように、第２の固定台１３に前端支持部材２０を取付け、第１の固定台１２に後端支持部材３０を取付ける。
【００２４】
前端支持部材２０は、図１２に示すように、太陽電池モジュール設置用ベースレール１０の固定台１２、１３の上板１２ｃ、１３ｃに取付けられたナット１６にボルト２７によって固定するための複数のボルト挿通穴２１を備えた水平取付け板２２と、この水平取付け板２１の幅方向の一端から所定の傾斜角度で傾斜した傾斜取付け板２３とを備えている。
このボルト挿通穴２１は取付け位置調整のため幅方向の長穴にしてもよい。
【００２５】
傾斜取付け板２３には太陽電池モジュール４０を固定するための複数のボルト挿通穴２４が設けられている。
傾斜取付け板２３の幅方向の先端には、強度を増すための、下方へ屈曲された縁板２５が設けられている。
【００２６】
後端支持部材３０は、図１１に示すように、太陽電池モジュール設置用ベースレール１０の固定台１２、１３の上板１２ｃ、１３ｃに取付けられたナット１６にボルト４３によって固定するためのボルト挿通穴３１を備えた水平取付け板３２と、この水平取付け板３２からほぼ垂直方向に上方へ延設された垂直板３３と、この垂直板３３の上端から所定の傾斜角度で傾斜した傾斜取付け板３４とを備えている。
【００２７】
傾斜取付け板３４には太陽電池モジュール４０を固定するための複数のボルト挿通穴３５が設けられている。
傾斜取付け板３４の幅方向の先端には、強度を増すための、下方へ屈曲された縁板３６が設けられている。
また、水平取付け板３２の幅方向の先端には、強度を増すための、下方へ屈曲された縁板３７が設けられている。
【００２８】
垂直板３３の長手方向の両端には、図１、図１１に示すように、隣り合う２つの後端支持部材３０、３０間の間隙を塞ぐための閉塞板５０（図１３）を取付けるためのナット３８が穴３９に回動不能に傾斜取付け板３４側へ突出するように取付けられている。
【００２９】
図７、図８に示すように、前端支持部材２０の傾斜取付け板２３と後端支持部材３０の傾斜取付け板３４に太陽電池モジュール４０の両端部を乗せて、傾斜取付け板２３、３４のボルト挿通穴２４、３５から太陽電池モジュール４０をボルト４３によって締付け固定する。
【００３０】
そして、図１、図７、図９に示すように、この後端支持部材３０の水平取付け板３２を太陽電池モジュール設置用ベースレール１０の第１の固定台１２の上板１２ｃに乗せて複数のナット１６の位置に複数のボルト挿通穴３１を合わせてボルト２７をボルト挿通穴３１から挿通してナット１６に螺着し、回転させて上板１２ｃに水平取付け板３２を締付け固定し、前端支持部材２０の水平取付け板２２を太陽電池モジュール設置用ベースレール１０の第２の固定台１３の上板１３ｃに乗せて複数のナット１６の位置に複数のボルト挿通穴２１を合わせてボルト２７をボルト挿通穴２１から挿通してナット１６に螺着し、回転させて上板１３ｃに水平取付け板２２を締付け固定する。
【００３１】
このようにして、図９、図１０に示すように、２列の太陽電池モジュール設置用ベースレール１０、１０間に太陽電池モジュール４０を所定の傾斜で取付け、太陽電池モジュール設置用ベースレール１０の長手方向に沿って横並びに複数の太陽電池モジュール４０を取付ける。
【００３２】
太陽電池モジュール４０のケーブル４１は、図５、図６に示すように、床面側から太陽電池モジュール設置用ベースレール１０の第１、第２の固定台１２、１３の中空部Ｄに長手方向に収容し可撓性のバンド１７を穴１８から通してケーブルを側壁１２ｂ、１３ｂに複数箇所において緊縛する。
【００３３】
図１３に示すように隣り合う２枚の後端支持部材３０、３０の垂直板３３、３３間の隙間を閉塞板５０の両端の穴５１、５１にボルト（図示せず）を挿通し、垂直板３３、３３のナット３８、３８に螺着して、閉塞板５０を取付けて塞ぐ。
【００３４】
太陽電池モジュール設置用ベースレール１０の設置間隔を選べば太陽電池モジュール４０は長手方向にも幅方向にも向きを選んで取付けできる。
【００３５】
また、前段支持部材２０、後端支持部材３０の各傾斜取付け板２３、３４の傾斜角度及び後端支持部材３０の垂直板３４の高さの異なるものを複数種類予め作成しておけば、前端支持部材２０及び後端支持部材３０の選択によって、太陽電池モジュール４０の傾斜角度を選択して取付けることもできる。
【００３６】
なお、図１４に示すように、強度のため、太陽電池モジュール設置用ベースレール１０の側板１２ｂ、１３ｂの下端に、内側へ折り曲げた縁部１２ｄ、１３ｄを設けてもよい。
【００３７】
また、図９では、水平な設置場所（建物の屋上、水平地面など）に設置した例を示しているが、傾斜した屋根上に太陽電池モジュール設置用ベースレール１０を取付け、その上に太陽電池モジュール４０を取付けてもよいことは勿論である。
【００３８】
なお、図１５に示すように傾斜した屋根上面（設置面Ｅ）と平行に太陽電池モジュール４０を設置することもできる。
この場合には、傾斜した屋根上面に直接、あるいはブロックＢを介して複数の太陽電池モジュール設置用ベースレール１０を屋根稜線と直角に互いに平行に固定する。
【００３９】
太陽電池モジュール設置用ベースレール１０の第１、第２の固定台１２、１３の上板１２ｃ、１３ｃに、図１６に示す側端支持部材６０を取付ける。
【００４０】
即ち、この側端支持部材６０は、図１６に示すように、太陽電池モジュール設置用ベースレール１０の第１又は第２の固定台１２、１３の上板１２ｃ、１３ｃに取付けられたナット１６にボルト２７によって固定するための複数のボルト挿通穴６１を備えた水平取付け板６２と、この水平取付け板の幅方向の一端から垂直に下方へ延設された垂直板６３と、この垂直板６３の幅方向の一端から水平方向に延設された支持板６４を備えている。
この支持板６４には太陽電池モジュール４０を固定するための複数のボルト挿通穴６５が設けられている。
【００４１】
図１７に示すように、この支持板６４を太陽電池モジュール４０の両側に固定し、板側部支持部材６０の水平取付け板６２を太陽電池モジュール設置用ベースレール１０の固定台１２、１３の上板１２ｃ、１３ｃに乗せて複数のナット１６の位置に複数のボルト挿通穴６１を合わせてボルト２７をボルト挿通穴６１から挿通してナット１６に螺着し、回転させて上板に水平取付け板６２を締付け固定する。
【図面の簡単な説明】
【００４２】
【図１】本発明の一実施形態の要部を示す正面図
【図２】本発明の一実施形態の太陽電池モジュール設置用ベースレールを示す斜視図
【図３】同実施形態を示す平面図
【図４】同実施形態を示す正面図
【図５】同実施形態の要部を示す斜視図
【図６】同実施形態の要部を示す断面図
【図７】本発明の一実施形態の支持部材と太陽電池モジュールの関係を示す斜視図
【図８】本発明の一実施形態の太陽電池モジュール設置用ベースレールと支持部材と太陽電池モジュールの関係を示す斜視図
【図９】本発明の一実施形態の太陽電池モジュール設置状態を示す断面図
【図１０】本発明の一実施形態の太陽電池モジュール設置状態を示す平面図
【図１１】本発明の一実施形態の後端支持部材を示す斜視図
【図１２】本発明の一実施形態の後端支持部材と閉塞板を示す斜視図
【図１３】本発明の一実施形態の要部を示す正面図
【図１４】本発明の他の実施形態の太陽電池モジュール設置用ベースレールを示す断面図
【図１５】本発明の他の実施形態の太陽電池モジュール設置状態を示す斜視図
【図１６】本発明の一実施形態の側端支持部材を示す斜視図
【図１７】本発明の他の実施形態の要部を示す正面図
【符号の説明】
【００４３】
１０  太陽電池モジュール設置用ベースレール
１１  底板部
１２  第１の固定台部
１３  第２の固定台部
２０  前端支持部材
２３  傾斜取付け板
３０  後端支持部材
３４  傾斜取付け板
４０  太陽電池モジュール
６０  側端支持部材
【図１】
2007035928.tif 000003
【図２】
2007035928.tif 000004
【図３】
2007035928.tif 000005
【図４】
2007035928.tif 000006
【図５】
2007035928.tif 000007
【図６】
2007035928.tif 000008
【図７】
2007035928.tif 000009
【図８】
2007035928.tif 000010
【図９】
2007035928.tif 000011
【図１０】
2007035928.tif 000012
【図１１】
2007035928.tif 000013
【図１２】
2007035928.tif 000014
【図１３】
2007035928.tif 000015
【図１４】
2007035928.tif 000016
【図１５】
2007035928.tif 000017
【図１６】
2007035928.tif 000018
【図１７】
2007035928.tif 000019